(57)【要約】【課題】ランプアセンブリが、サイドダクトの真上に近接配置される場合でも、当該ランプアセンブリを容易に組み付けられる車両前部構造を提供する。【解決手段】車両前部構造は、外気の流入を許容するグリル部２９を有するフロントバンパ１２と、前記グリル部２９の車両後方に配された熱交換器（ラジエータ１４）と、前記熱交換器と前記フロントバンパ１２との間に配され、導風路の側面を形成するサイドダクト２２と、前記サイドダクト２２の上方に配されるランプアセンブリ２４と、を備え、前記サイドダクト２２は、前記熱交換器に締結され、前記熱交換器から前方に延びる第一サイドダクト３０と、前記ランプアセンブリ２４の真下に近接配置され、前記フロントバンパ１２に締結される第二サイドダクト３２と、を備える。【選択図】図２
2019085061.tif 000002
【特許請求の範囲】
【請求項１】
外気の流入を許容するグリル部を有するフロントバンパと、
前記グリル部の車両後方に配された熱交換器と、
前記熱交換器と前記フロントバンパとの間に配され、導風路の側面を形成するサイドダクトと、
前記サイドダクトの上方に配されるランプアセンブリと、
を備え、前記サイドダクトは、
前記熱交換器に締結され、前記熱交換器から前方に延びる第一サイドダクトと、
前記ランプアセンブリの真下に近接配置され、前記フロントバンパに締結される第二サイドダクトと、
を備えることを特徴とする車両前部構造。
【発明の詳細な説明】
【技術分野】
【０００１】
本明細書は、フロントバンパと、熱交換器と、フロントバンパおよび熱交換器の間に配されたサイドダクトと、サイドダクトの上方に配されたランプアセンブリと、を備えた車両前部構造を開示する。
【背景技術】
【０００２】
一般に、車両の前部には、フロントバンパが設けられており、このフロントバンパには、パワーユニット室（いわゆるエンジンルーム）内に外気を取り込むためのグリル部が設けられている。パワーユニット室内であって、グリル部の後方には、エンジンの冷却液と熱交換する熱交換器が配置されている。この熱交換器に外気を適切に導くため、あるいは、エンジン等から生じた熱風が熱交換器に回り込むことを防止するために、熱交換器とフロントバンパとの間には、空気の流れをガイドする一対のサイドダクトを設けることがある。サイドダクトは、熱交換器の幅方向両端からフロントバンパの背面の間に配される部材で、外気が流れる導風路の側壁として機能する。
【０００３】
特許文献１には、こうしたサイドダクトを有した車両前部構造が開示されている。すなわち、特許文献１には、車体前方の側から車体後方に延在して導風路の上部を画定するアッパダクトメンバと、アッパダクトメンバの車幅方向両側に配置されて導風路の車幅方向両側を画定する左右のサイドダクトメンバとを備える車両用エアダクトが開示されている。
【先行技術文献】
【特許文献】
【０００４】
【特許文献１】特許第５３５８６００号公報
【発明の概要】
【発明が解決しようとする課題】
【０００５】
ここで、車両の前部には、ヘッドライト等を構成するランプアセンブリも配置されている。近年、意匠性向上のために、このランプアセンブリを、サイドダクトの真上に近接配置することが、一部で、提案されている。一般に、ランプアセンブリの車両への組み付けは、サイドダクトの車両への組み付けの後に行われるが、上述したデザインの場合、ランプアセンブリを車両に組み付ける際の当該ランプアセンブリの移動軌跡が、サイドダクトに干渉してしまい、ランプアセンブリを適切に組み付けられない恐れがあった。特に、ランプアセンブリの最下端が、サイドダクトの最上端よりも下方かつ後方に位置する場合、当該ランプアセンブリは、サイドダクトの最上端を乗り越えるような軌跡を取らなければならず、他部材との干渉等が発生しやすかった。結果として、ランプアセンブリが、サイドダクトの上方に近接配置するデザインの場合、ランプアセンブリを適切な位置に組み付けることが困難であった。
【０００６】
そこで、本明細書では、ランプアセンブリが、サイドダクトの真上に近接配置される場合でも、当該ランプアセンブリを容易に組み付けられる車両前部構造を開示する。
【課題を解決するための手段】
【０００７】
本明細書で開示する車両前部構造は、外気の流入を許容するグリル部を有するフロントバンパと、前記グリル部の車両後方に配された熱交換器と、前記熱交換器と前記フロントバンパとの間に配され、導風路の側面を形成するサイドダクトと、前記サイドダクトの上方に配されるランプアセンブリと、を備え、前記サイドダクトは、前記熱交換器に締結され、前記熱交換器から前方に延びる第一サイドダクトと、前記ランプアセンブリの真下に近接配置され、前記フロントバンパに締結される第二サイドダクトと、を備えてもよい。
【０００８】
かかる構成とした場合、第二サイドダクトは、ランプアセンブリを車両に組み付けた後、フロントバンパとともに車両に組み付けられる。その結果、ランプアセンブリが、サイドダクトの上方に近接配置するデザインであっても、ランプアセンブリの組み付けの移動軌跡と第二サイドダクトとの干渉が効果的に防止され、ランプアセンブリを容易に組み付けることが可能となる。
【０００９】
この場合、前記第二サイドダクトの上端縁は、前に進むにつれて連続的または段階的に高くなる前上がり形状であり、前記ランプアセンブリの最下端は、前記第二サイドダクトの最上端よりも、下方かつ後方に位置していてもよい。
【００１０】
第二サイドダクトを前上がり形状とすることで、ランプアセンブリとフロントバンパとの間隙を当該第二サイドダクトで埋めることができ、導風性能を高く保つことができる。また、上述した通り、第二サイドダクトは、ランプアセンブリの後に組み付けられるため、ランプアセンブリの最下端が、第二サイドダクトの最上端よりも、下方かつ後方に位置していても、ランプアセンブリを容易に組み付けることができる。
【００１１】
また、前記第一サイドダクトは、前方上部の隅部が切り欠かれた略Ｌ字状であり、前記第二サイドダクトは、前記第一サイドダクトの切り欠き部の少なくとも一部を埋めるように、前記フロントバンパから後方に延びていてもよい。そして、この場合において、前記第一サイドダクトと前記第二サイドダクトの少なくとも一方は、互いに対向する面間を埋めてシールする弾性体、例えば、スポンジを有してもよい。
【００１２】
かかる構成とすることで、車両の振動に伴い、第一サイドダクトと第二サイドダクトの間隙寸法が変化しても、その変化に追従してスポンジが膨縮するため、両者の間隙が適切にシールされ、導風性能を良好に保つことができる。
【００１３】
また、車両前部構造は、さらに、車両幅方向に延びるとともに、前記第一サイドダクトの切り欠き部を通るバンパリーンフォースメントを備え、前記第二サイドダクトは、前記バンパリーンフォースメントとランプアセンブリとの隙間を埋めるべく、両者の間に延びていてもよい。
【００１４】
第一サイドダクトの切り欠き部内に、バンパリーンフォースメントを配することで、車両の強度と、導風性能とを良好に保つことができる。
【発明の効果】
【００１５】
本明細書に開示される車両前部構造によれば、第二サイドダクトは、ランプアセンブリを車両に組み付けた後、フロントバンパとともに車両に組み付けられる。その結果、ランプアセンブリが、サイドダクトの上方に近接配置するデザインであっても、ランプアセンブリの組み付けの移動軌跡と第二サイドダクトとの干渉が効果的に防止され、ランプアセンブリを容易に組み付けること可能となる。
【図面の簡単な説明】
【００１６】
【図１】車両前部構造の概略構成図である。
【図２】図１のＡ−Ａ線での概略断面図である。
【図３】車両前部構造の概略的な分解断面図である。
【図４】従来の車両前部構造の概略的な分解断面図である。
【発明を実施するための形態】
【００１７】
以下、車両前部構造について図面を参照して説明する。図１は、車両前部の概略構成図である。また、図２は、図１のＡ−Ａ線での概略縦断面図であり、図３は、車両前部構造の概略分解断面図である。車両の前部には、フロントバンパ１２が設けられており、このフロントバンパ１２の後方空間が、パワーユニット室１０となる。パワーユニット室１０は、従来、エンジンルームやエンジンコンパートメントと呼ばれる空間である。このパワーユニット室１０には、エンジンや走行用モータ等の動力源（パワーユニット、いずれも図示せず）に加え、後述するラジエータ１４等も配置される。
【００１８】
フロントバンパ１２は、当該フロントバンパ１２の本体であるパネル部２８を有しており、当該パネル部２８は、平面視線では、車両幅方向外側に近づくにつれて車両後方に進むように湾曲している。このパネル部２８の車両幅方向中央には、グリル部２９が配置される中央開口２８ａが形成されている。グリル部２９は、中央開口２８ａ内に配置される部材である。このグリル部２９には、車外の空気をパワーユニット室１０へ導くための開口が複数、略格子状または網状に形成されている。
【００１９】
フロントバンパ１２の背後には、車体の骨格部材の一つであるバンパリーンフォースメント１６（以下「バンパＲ／Ｆ１６」という）が、車両幅方向に延びている。バンパＲ／Ｆ１６も、フロントバンパ１２と同様に、平面視線では、車両幅方向外側に近づくにつれて車両後方に進むように湾曲している。また、バンパＲ／Ｆ１６とフロントバンパ１２との間には、衝突荷重を吸収するアブソーバ２０が配されている。アブソーバ２０も、車両のほぼ全幅に延びている。なお、図２から明らかな通り、バンパＲ／Ｆ１６およびアブソーバ２０の上下方向寸法（高さ）は、グリル部２９の上下方向寸法よりも十分に小さい。そのため、グリル部２９から流入した外気は、バンパＲ／Ｆ１６およびアブソーバ２０の上下両側を通ってラジエータ１４に到達できる。
【００２０】
パワーユニット室１０の幅方向両端近傍には、骨格部材である一対のフロントサイドメンバ１８が設けられている。各フロントサイドメンバ１８は、車両前後方向に延びており、バンパＲ／Ｆ１６の車両幅方向両端は、このフロントサイドメンバ１８に接続されている。
【００２１】
グリル部２９およびバンパＲ／Ｆ１６の後方には、ラジエータ１４が配されている。ラジエータ１４は、エンジンの冷却液と熱交換する熱交換器である。このラジエータ１４は、エンジンから排出された冷却液が流れるラジエータ１４コアや、当該ラジエータ１４コアに空気を送り出すラジエータ１４ファン等を備えている。さらに、このラジエータ１４の後方には、エンジン等の発熱体が配置されている。
【００２２】
ここで、ラジエータ１４は、ラジエータ１４コアを外気と接触させることで冷却液の冷却を図っている。そのため、ラジエータ１４に流れる外気の流量が低下したり、エンジン周辺で生じた熱風が、ラジエータ１４の前面に回り込んだりすると、ラジエータ１４による冷却効率が低下する。そこで、ラジエータ１４に外気を導くとともに、パワーユニット室１０内で発生した熱風がラジエータ１４の前面に回り込むことを防止するために、ラジエータ１４とフロントパネルとの間には、一対のサイドダクト２２が配されている。
【００２３】
この一対のサイドダクト２２は、グリル部２９からラジエータ１４に外気を導く導風路の側壁として機能する。各サイドダクト２２の後端は、ラジエータ１４の幅方向端部近傍に位置しており、前端は、フロントバンパ１２のパネル部２８の背面近傍に位置している。かかるサイドダクト２２が、車両幅方向に間隔を開けて二つ設けられることにより、グリル部２９から流入した外気がラジエータ１４に導かれるとともに、パワーユニット室１０内で発生した熱風がラジエータ１４の前面に回り込むことが防止される。本例において、このサイドダクト２２は、第一サイドダクト３０と第二サイドダクト３２に分割されているが、これについては、後述する。また、ここでは、サイドダクト２２のみを説明しているが、空気の流れをより適切にガイドするために必要であれば、サイドダクト２２に加えて、ラジエータ１４の上端または下端から延びるアッパダクトまたはロアダクトを設けてもよい。
【００２４】
サイドダクト２２の上方には、ランプアセンブリ２４が配置される。換言すれば、サイドダクト２２は、ランプアセンブリ２４の幅方向範囲内に位置している。また、図２から明らかな通り、ランプアセンブリ２４の最下端は、サイドダクト２２の最上端よりも低くなっており、ランプアセンブリ２４の上下範囲とサイドダクト２２の上下範囲は、一部重複している。
【００２５】
ランプアセンブリ２４は、車両前部に配置されるランプ（例えば、ヘッドランプ等）を構成するもので、ＬＥＤ等からなるランプ本体や、ランプ本体を保持するランプハウジング、ランプ本体の光を拡散するレンズ等を有している。こうしたランプアセンブリ２４は、従来、サイドダクト２２よりも車両幅方向外側に位置することが多かった。しかし、本例の車両では、意匠性向上のため、ランプアセンブリ２４は、既述した通り、サイドダクト２２の真上に近接配置されている。
【００２６】
なお、図２から明らかな通り、フロントバンパ１２は、上方に進むに従い車両後方に進むように湾曲している。そのため、図１では、ランプアセンブリ２４は、フロントバンパ１２から離間して図示されているが、ランプアセンブリ２４と同じ高さ位置においては、図２に示す通り、当該ランプアセンブリ２４の前端と、フロントバンパ１２の上端は、近接している。そして、ランプアセンブリ２４の前端面（レンズ外面）は、フロントバンパ１２およびボンネットルーフ２６に滑らかに連なるようになっている。
【００２７】
ここで、既述した通り、本例では、サイドダクト２２は、ラジエータ１４に締結された第一サイドダクト３０と、フロントバンパ１２に締結された第二サイドダクト３２と、に分割されている。第一サイドダクト３０は、樹脂等からなる本体部３４と、当該本体部３４の周縁に取り付けられるスポンジ３６と、を有している。第一サイドダクト３０は、ラジエータ１４の幅方向端部にクリップ等を用いて締結されている。第一サイドダクト３０の本体部３４は、図２、図３に示すように、前上側の隅部が略矩形に大きく切り欠かれており、側面視で略Ｌ字状となっている。以下では、この本体部３４のうち、切り欠き部の後端縁部（Ｌ字の縦線に対応する縁部）を「縦縁部３０ｖ」、切り欠き部の下端縁部（Ｌ字の横線に対応する縁部）を「横縁部３０ｈ」と呼ぶ。
【００２８】
縦縁部３０ｖには、他部材との間隙をシールするためのスポンジ３６が取り付けられている。このスポンジ３６は、車両静止状態では、当接する他部材により押し潰されている。そして、車両走行時に車両が振動して、他部材との間隙寸法が変化した場合には、このスポンジ３６は、当該間隙寸法の変化に追従するべく、膨縮する。なお、本例では、スポンジ３６を用いているが、柔らかく容易に変形できるのであれば、スポンジ３６に替えて他の弾性体、例えば、ゴム等を設けてもよい。
【００２９】
バンパＲ／Ｆ１６およびアブソーバ２０は、第一サイドダクト３０の切り欠き部内を通るように配置されている。具体的には、バンパＲ／Ｆ１６は、縦縁部３０ｖと横縁部３０ｈのコーナー部を通る。また、アブソーバ２０は、バンパＲ／Ｆ１６の前面に締結されている。横縁部３０ｈは、後方から略水平に延びた後、バンパＲ／Ｆ１６の前端を越えたあたりで、一段高くなっており、これによりバンパＲ／Ｆ１６の前方への移動が規制されている。
【００３０】
第二サイドダクト３２も、樹脂等からなる本体部４０と、当該本体部４０の周縁に取り付けられるスポンジ４２と、を有している。第二サイドダクト３２は、フロントバンパ１２の背面、より正確には、パネル部２８の中央開口２８ａの周縁にクリップ等を用いて締結されている。第二サイドダクト３２は、図２に示すように、バンパＲ／Ｆ１６およびアブソーバ２０の上方に位置している。また第二サイドダクト３２の後端は、スポンジ４２，３６を介して第一サイドダクト３０に当接している。第二サイドダクト３２の上端縁は、ランプアセンブリ２４とフロントバンパ１２との間隙を埋めるように、前方に近づくにつれて連続的または段階的に高くなるような前上がり形状となっている。その結果、第一サイドダクト３０と第二サイドダクト３２との間には、側面視で、上方に開いた略Ｖ字状の間隙が形成される。この間隙内に、ランプアセンブリ２４の下部が収容される。換言すれば、ランプアセンブリ２４の最下端は、第一サイドダクト３０の最上端より下方かつ後方に位置している。また、第二サイドダクト３２の本体部４０の前端面は、フロントバンパ１２の背面に沿う形状となっており、当該本体部４０の前端面とフロントバンパ１２の背面との間隙は、良好な導風性能を保てる程度に、十分に小さくなっている。
【００３１】
第二サイドダクト３２のスポンジ４２は、第一サイドダクト３０のスポンジ３６と同様に、他部材との間隙をシールするためものである。このスポンジ４２は、第二サイドダクト３２の本体部４０の上端縁、後端縁、下端縁に取り付けられている。換言すれば、スポンジ４２は、第二サイドダクト３２の本体部４０のうち、フロントバンパ１２と対向する周縁以外の周縁に取り付けられている。なお、このスポンジ４２も、第一サイドダクト３０のスポンジ３６と同様に、車両静止状態では、当接する他部材により押し潰されており、車両振動時には、他部材との間隙寸法の変化に追従して膨縮する。また、第二サイドダクト３２のスポンジ４２も、容易に変化できるのであれば、他の弾性体、例えばゴム等に替えてもよい。
【００３２】
次に、このように、サイドダクト２２を、ラジエータ１４に取り付けられた第一サイドダクト３０と、フロントバンパ１２に取り付けられた第二サイドダクト３２と、で構成する理由について、従来技術と比較して説明する。図４は、従来の車両前部構造の概略分解断面図である。従来の車両前部構造でも、サイドダクト２２は、第一サイドダクト３０と第二サイドダクト３２とに分割されている。ただし、従来の車両前部構造では、第二サイドダクト３２は、フロントバンパ１２ではなく、第一サイドダクト３０に締結されている。すなわち、第二サイドダクト３２の後端が、第一サイドダクト３０の縦縁部近傍に締結される。
【００３３】
このような従来の車両前部構造での各部材の組み付け順序を説明する。作業者は、ラジエータ１４を車両に搭載した後、当該ラジエータ１４に第一サイドダクト３０を締結する。第一サイドダクト３０を車両に組み付け（ラジエータ１４に締結）すれば、続いて、作業者は、バンパＲ／Ｆ１６を車両に組み付け、このバンパＲ／Ｆ１６にアブソーバ２０を締結する。その後、作業者は、第二サイドダクト３２を第一サイドダクト３０に締結し、ランプアセンブリ２４を車両に組み付け、最後に、フロントバンパ１２を車両に組み付ける。
【００３４】
ここで、サイドダクト２２を、第一サイドダクト３０と第二サイドダクト３２とに分割するのは、バンパＲ／Ｆ１６の組み付けを可能にするためである。すなわち、既述した通り、第一サイドダクト３０の横縁部３０ｈは、バンパＲ／Ｆ１６を越えた辺りで一段高くなっている。バンパＲ／Ｆ１６は、この第一サイドダクト３０を車両に組み付けた後、車両に組み付けられる。このとき、作業者は、バンパＲ／Ｆ１６を、図４の二点鎖線の矢印で示す軌跡で動かす。すなわち、作業者は、バンパＲ／Ｆ１６と横縁部３０ｈとの干渉を避けるべく、バンパＲ／Ｆ１６を横縁部３０ｈの前端より高い位置から、車両後方に移動させた後、車両下方に移動させる。このとき、第二サイドダクト３２が、第一サイドダクト３０と一体化（一部品化）されていると、バンパＲ／Ｆ１６の上端と第一サイドダクト３０の下端とが干渉することになる。そこで、従来から、サイドダクト２２は、第一サイドダクト３０と第二サイドダクト３２とに分割されており、第二サイドダクト３２は、バンパＲ／Ｆ１６を組み付けた後に、第一サイドダクト３０に締結されていた。
【００３５】
ところで、ランプアセンブリ２４が、サイドダクト２２から離間した位置に設けられている場合には、従来の車両前部構造でも問題なかった。しかし、近年、意匠性向上等の目的で、ランプアセンブリ２４をサイドダクト２２の真上に近接配置することがある。この場合、従来の車両前部構造では、ランプアセンブリ２４の組み付けにおいて、当該ランプアセンブリ２４が、第二サイドダクト３２に干渉し、ランプアセンブリ２４を組み付けられない。すなわち、第二サイドダクト３２を第一サイドダクト３０に締結した後、ランプアセンブリ２４を組み付ける場合には、当該ランプアセンブリ２４を、第二サイドダクト３２とボンネットルーフ２６との間隙を通過させなければならない。しかし、ボンネットルーフの下端は、ランプアセンブリ２４の上端とほぼ同じ高さ位置であるのに対し、第二サイドダクト３２の最上端は、ランプアセンブリ２４の最下端より高い。その結果、ランプアセンブリ２４を車両前方から組み付け位置に移動させようとすると、ランプアセンブリ２４の下部が第二サイドダクト３２と干渉してしまう。
【００３６】
そこで、第二サイドダクト３２をランプアセンブリ２４の組み付け軌跡と干渉しない形状、例えば、第二サイドダクト３２の上部を大幅にカットした形状にすることが考えられる。しかし、この場合、第二サイドダクト３２とフロントバンパ１２との間隙が大きくなり、導風性能が大幅に低下する。そこで、第二サイドダクト３２とフロントバンパ１２との間隙を埋める弾性体（スポンジ等）を別途用意し、第二サイドダクト３２およびランプアセンブリ２４を組み付けた後、当該弾性体を組み付けることも考えられる。しかし、この場合、部品点数の増加やコストの増加、組み付け工数の増加といった別の問題を招く。
【００３７】
また、別の方法として、ランプアセンブリ２４を車両に組み付けた後、第二サイドダクト３２を第一サイドダクト３０に締結することも考えられる。しかし、ランプアセンブリ２４の下端と、バンパＲ／Ｆ１６との間隙の上下方向寸法は、作業者の手と殆ど変らない、あるいは、作業者の手より小さいことが多い。例えば、当該間隙の上下方向寸法は、１５ｃｍ以下である。この場合、バンパＲ／Ｆ１６およびランプアセンブリ２４を組み付けた後、第二サイドダクト３２と第一サイドダクト３０を締結しようとしても、当該締結箇所に手を入れることができない、あるいは、手を入れることができたとしても、当該締結箇所を殆ど視認できない。結果として、ランプアセンブリ２４を組み付けた後では、第二サイドダクト３２を第一サイドダクト３０に締結することは困難であった。
【００３８】
そこで、本明細書で開示する車両前部構造では、図２、図３に示す通り、第二サイドダクト３２を、第一サイドダクト３０ではなく、フロントバンパ１２に締結している。この場合、第二サイドダクト３２は、予め、フロントバンパ１２に締結されている。そして、ランプアセンブリ２４が車両に組み付けられた後、フロントバンパ１２ごと第二サイドダクト３２が車両に組み付けられる。このように、ランプアセンブリ２４の組み付け後に第二サイドダクト３２が組み付けられるため、第二サイドダクト３２を前上がりの形状としても、ランプアセンブリ２４の移動軌跡が第二サイドダクト３２と干渉することがない。
【００３９】
また、第二サイドダクト３２を前上がりの形状とすることで、ランプアセンブリ２４とフロントバンパ１２との隙間も第二サイドダクト３２で塞ぐことができ、導風性能を適切に保つことができる。換言すれば、ランプアセンブリ２４とフロントバンパ１２との隙間を塞ぐための弾性体等が不要であるため、部品点数およびコストの増加を防止できる。なお、本明細書で開示する車両前部構造でも、第二サイドダクト３２と、ランプアセンブリ２４およびバンパＲ／Ｆ１６との間隙を埋めるスポンジ４２は必要であるが、これらは、従来の車両前部構造でも必要な部材であるため、かかるスポンジ４２を設けたとしてもコスト増加等を招くことはない。また、第一サイドダクト３０と第二サイドダクト３２との間隙を埋めるスポンジ４２は、新たに設けられるものであるが、これらは、従来から存在するスポンジ４２の形状を僅かに変更するだけでよく、コストは、殆ど増加しない。
【００４０】
つまり、本明細書で開示する車両前部構造によれば、第二サイドダクト３２をフロントバンパ１２に締結する構造となっているため、部品点数の増加やコストの大幅な増加を防止しつつ、ランプアセンブリ２４および第二サイドダクト３２の組み付け作業性を向上できる。なお、本明細書で開示した車両前部構造を一例であり、少なくとも、ラジエータ１４に締結される第一サイドダクト３０と、フロントバンパ１２に締結される第二サイドダクト３２とを有するのであれば、その他の構成は適宜、変更されてもよい。例えば、上述の例では、第一サイドダクト３０の一部周縁および第二サイドダクト３２の一部周縁にスポンジ３６，４２を設けているが、他部材との間隙をシールできるのであれば、スポンジ３６，４２は、省略されてもよい。例えば、スポンジ３６，４２を省略する一方で、第一、第二サイドダクト３２の一部の周縁を他部材に応じて変形できるリップ形状としてもよい。
【符号の説明】
【００４１】
１０  パワーユニット室、１２  フロントバンパ、１４  ラジエータ、１６  バンパリーンフォースメント、１８  フロントサイドメンバ、２０  アブソーバ、２２  サイドダクト、２４  ランプアセンブリ、２６  ボンネットルーフ、２８  パネル部、２９  グリル部、３０  第一サイドダクト、３２  第二サイドダクト、３４  本体部、３６  スポンジ、４０  本体部、４２  スポンジ。
【図１】
2019085061.tif 000003
【図２】
2019085061.tif 000004
【図３】
2019085061.tif 000005
【図４】
2019085061.tif 000006